(57)【要約】  鉄道装置を固定するための装置（２２）であって、支持プラットフォーム（２４）と、前記鉄道装置をプラットフォーム（２４）に固定するための機構（３０）とを備え、固定機構（３０）が、支持プラットフォーム（２４）によって支持された長手方向に延びる少なくとも１つの案内スライド（３２）と；鉄道装置をプラットフォーム（２４）に取り付けるための、案内スライド（３２）に沿って移動可能な部材（３４）とを備える、固定するための装置（２２）。固定機構（３０）は、案内スライド（３２）を支持する上部ビーム（２７）および下部ビーム（２６）も備え、上部および下部ビームは、案内スライド（３２）の長手方向に垂直な方向に移動できるように接続部材（３１）によって接続される。さらに、固定機構（３０）は、前記垂直方向における下部ビーム（２６）に対する上部ビーム（２７）の移動を防止するように構成されたロック手段（５２）を備える。【選択図】図３
2021510788.tif 000002
【特許請求の範囲】
【請求項１】
鉄道装置（１２）を固定するための装置（２２）であって、前記鉄道装置（１２）用の支持プラットフォーム（２４）と、前記鉄道装置（１２）を前記支持プラットフォーム（２４）に固定するための少なくとも１つの機構（３０）とを備え、前記固定機構がロック位置からロック解除位置へ、およびその逆に移動可能であり、前記固定機構（３０）が、
・長手方向に延びる少なくとも１つの案内スライド（３２）と；
・前記鉄道装置（１２）を前記支持プラットフォーム（２４）に取り付けるための、前記案内スライド（３２）に沿って移動可能な少なくとも１つの部材（３１）と
を備える、固定するための装置（２２）において、
前記固定機構（３０）が、
・前記案内スライド（３２）を支持する上部ビーム（２７）、および
・前記支持プラットフォーム（２４）に接続された下部ビーム（２６）も備え、
前記上部ビーム（２７）および前記下部ビーム（２６）は、前記上部ビーム（２７）が前記下部ビーム（２６）に対して前記案内スライド（３２）の長手方向に垂直な方向に移動できるように構成された少なくとも１つの接続部材（３１）によって接続されていること、および
前記固定機構（３０）が前記少なくとも１つの接続部材（３１）をロックするための手段（５２）を備え、前記ロック手段は前記下部ビーム（２６）に対する前記上部ビーム（２７）の移動を防止するように構成されていること
を特徴とする、固定するための装置（２２）。
【請求項２】
前記少なくとも１つの接続部材（３１）が、前記上部ビーム（２７）に接続された少なくとも１つの伝達ロッド（６２）と、前記下部ビーム（２６）に接続され、ねじおよびナットアセンブリ（６４）またはシリンダによって制御される伝達レバー（６０ａ）とを備える関節式平行四辺形を形成するアセンブリ（５８）であり、それにより、前記上部ビーム（２７）の動きは、前記ナット（６７）内の前記ねじ（６５）の動き、または対応して、前記シリンダ本体内のシリンダロッドの動きに運動学的にリンクされる、請求項１に記載の固定装置（２２）。
【請求項３】
前記接続部材（３１）が、例えば台形形状のねじおよびナットアセンブリ（５２）であり、そのねじ（５４）は前記下部ビーム（２６）によって支えられ、そのナット（５６）は前記上部ビーム（２７）によって支えられ、それにより、前記上部ビーム（２７）の動きは前記ねじ（５４）に沿った前記ナット（５６）の動きに運動学的にリンクされ、ロックは前記ねじおよびナットアセンブリ（５２）の締め付けトルクによって確実になる、請求項１に記載の固定装置（２２）。
【請求項４】
前記少なくとも１つの接続部材（３１）がシリンダ（５２）、例えば油圧シリンダであり、その本体は前記下部ビーム（２６）によって支えられ、そのロッド（５６）は前記上部ビーム（２７）によって支えられ、それにより前記上部ビーム（２７）の変位は、前記シリンダ本体内の前記シリンダの前記ロッドの動きに運動学的にリンクされ、それにより前記ロック（５２）は前記ロッド（５６）をブロックするためのシステムによって確実になる、請求項１〜３のいずれか一項に記載の固定装置（２２）
【請求項５】
前記下部ビーム（２６）に対する前記上部ビーム（２７）の移動が少なくとも１３０ｍｍである、請求項２または３に記載の固定装置（２２）。
【請求項６】
前記固定機構（３０）が、下部ビーム（２６）に接続された２つの上部ビーム（２７ａ、２７ｂ）と、２つの案内スライド（３２ａ、３２ｂ）と、上部ビーム（２７ａ、２７ｂ）をそれぞれ前記下部ビーム（２６）に接続する２つの接続部材（３１ａ、３１ｂ）とを備え、前記接続部材（３１ａ、３１ｂ）は独立して制御可能である、請求項１〜５のいずれか一項に記載の固定装置（２２）。
【請求項７】
前記取り付け部材（３４）が、好ましくは自動ロック式である駆動機構（３６）によって前記案内スライド（３２）に沿って動かされる、請求項１〜６のいずれか一項に記載の固定装置（２２）。
【請求項８】
前記駆動機構（３６）が、前記案内スライド（３２）に沿って移動することができる可動チェーン（３８）を備え、このチェーンは、前記可動チェーン（３８）がループを形成するように少なくとも２つのスプロケット（４０）によって駆動される、請求項７に記載の固定装置（２２）。
【請求項９】
前記スプロケット（４０）の前記少なくとも１つは駆動輪（４２）と呼ばれ、駆動シャフト（４４）を備え、前記駆動シャフト（４４）は、前記駆動シャフト（４４）の周りで前記駆動輪（４２）を回転駆動するようにモータ（４６）に接続されている、請求項８に記載の固定装置（２２）。
【請求項１０】
前記駆動輪（４２）が、その駆動シャフト（４４）の周りの前記駆動輪（４２）の回転を防止するための制動システム（４８）を備えている、請求項９に記載の固定装置（２２）。
【請求項１１】
前記制動システム（４８）がフェイルセーフタイプのものであり、例えば、一対の制動ディスク（５０）を備える、請求項１０に記載の固定装置（２２）。
【請求項１２】
前記支持プラットフォーム（２４）が、好ましくは少なくとも１つの水平回動軸の周りの回転によって、積込み位置と傾斜した輸送位置との間で移動可能である、請求項１〜１１のいずれか一項に記載の固定装置（２２）。
【請求項１３】
前記固定機構が、遠隔制御によって、または主遠隔制御が故障した場合に緊急遠隔制御によって制御される、請求項１〜１２のいずれか一項に記載の固定装置（２２）。
【請求項１４】
前記取り付け機構（３０）が、前記支持プラットフォーム（２４）の平面に垂直な軸を中心に回動可能であるように構成され、前記取り付け機構（３０）の回動は、例えば、シリンダを備える駆動手段（７７）によって提供される、請求項１〜１３のいずれか一項に記載の固定装置（２２）。
【請求項１５】
走行装置によって支持された輸送シャーシに取り付けられた請求項１〜１４のいずれか一項に記載の固定装置（２２）を備えることを特徴とする、鉄道装置（１２）を輸送するための車両（１０）、特に鉄道装置を輸送するための輸送ワゴン（１０）。
【発明の詳細な説明】
【技術分野】
【０００１】
本発明は、鉄道装置、特に転轍機を固定するための装置に関する。本発明はまた、そのような固定装置を組み込んだ輸送車両、特にワゴンに関する。
【背景技術】
【０００２】
文献ＦＲ３０２４４７０号は、鉄道装置用の支持プラットフォームを備え、鉄道装置用の支持面を有し、支持プラットフォームは水平の積込み位置と傾斜した輸送位置との間で移動可能な、鉄道装置を輸送するためのワゴンを記載している。鉄道装置は、鉄道装置全体に分布し、鉄道装置つなぎ材とプラットフォームとの間に配置された個々のフランジで形成された固定機構によって、支持プラットフォームに取り付けられる。
【０００３】
しかしながら、そのような特に簡単な取り付け方法は、フランジを手動で締め付けるために、すなわち鉄道装置が固定される前に、積込みプラットフォームにアクセスする必要があるという欠点を有する。したがって、作業員の安全を確保するために、積込み段階と積み降ろし段階の両方における取り扱いには特定の予防策が必要である。
【０００４】
プラットフォームにアクセスする必要なしに鉄道装置をプラットフォームに取り付けることを可能にするために、２００６年以来、ＭＡＴＩＳＡ  ＳＡ社は、鉄道装置のレールの足の一部と係合するように意図されたフックを一端に有する取り付けバーを備えた少なくとも１つの鉄道装置固定機構を市場に出している。各バーは、バーに垂直な長手方向軸を中心に回動するように、プラットフォームに関節式に接続されたスリーブにスライド可能に取り付けられている。このようにして、オペレータは、バーをレバーのように操作することができ、フックの反対側の自由端でバーを保持して、フックがレールの足に近づくまでそれを回動し、バーをスリーブ内でスライドさせてその有効な長さを調整する。フックがレールの足に係合したら、あとは、スリーブ内のバーのスライドをブロックし、フックと鉄道装置をプラットフォームに対して所定の位置にロックするだけである。バーの長さにより、オペレータはフックからプラットフォームの側面までの距離を保ちながら行動することが可能になる。このように記載されているシステムは、文献ＷＯ２０１４１５４６２４Ａ１号に示されているシステムと非常によく似ている。これは効果的であるが、フックと鉄道装置の間に大きなクランプ力を提供しない。特に、据え付けおよび固定時にフックによってレールの足に加えられる力が、水平に対してわずかに斜めの、バーの全体的な方向にあり、したがって、鉄道装置をプラットフォーム上でスライドさせる傾向がある強力な水平成分を備えているためである。この装置はまた電動化が難しい。
【０００５】
これを改善するために、文献ＦＲ１６５３１８５号は、固定機構が案内スライドによって案内される台車を備える支持プラットフォームと、台車をレールに対して遮断する手段と、案内スライドをプラットフォームに対してロックするための部材とを備える鉄道装置固定装置を提案している。ロック部材は、特に、支持プラットフォームに形成されたロック用空洞の対応する傾斜壁と係合するベベル状シムを備える。このような装置は電動化が簡単であり、鉄道装置の安全な取り扱いを可能にする。それというのも、シムのベベル形状のおかげで、取り付け部材の動きが少なくとも２つの成分、すなわち水平方向の動きと垂直方向の動きに分解されるためである。しかしながら、ベベル状シムおよび関連するロック用空洞の構造は複雑になる可能性がある。
【発明の開示】
【０００６】
本発明の目的は、鉄道装置の簡単かつ安全な取り扱いを可能にし、電動化だけでなく構造も単純にすることができる、鉄道装置を固定するための装置を提案することにより、従来技術の欠点を克服することである。本発明の別の目的は、木製つなぎ材（短い）またはコンクリート製つなぎ材（より高い）などの異なるつなぎ材の高さに対応するように、取り付け機構の高さを正確に調整することである。
【０００７】
この目的のために、本発明は、鉄道装置を固定するための装置であって、鉄道装置用の支持プラットフォームと、鉄道装置を支持プラットフォームに固定するための少なくとも１つの機構とを備え、前記固定機構はロック位置からロック解除位置へ、およびその逆に移動可能であり、固定機構は、
・長手方向に延びる少なくとも１つの案内スライドと、
・鉄道装置を支持プラットフォームに取り付けるための、案内スライドに沿って移動可能な少なくとも１つの部材と
を備える、固定するための装置において、
固定機構が、
・案内スライドを支持する上部ビーム、および
・支持プラットフォームに接続された下部ビームも備え、
上部ビームおよび下部ビームは、上部ビームが下部ビームに対して案内スライドの長手方向に垂直な方向に移動できるように構成された少なくとも１つの接続部材によって接続されていること、および
固定機構が前記少なくとも１つの接続部材をロックするための手段を備え、前記ロック手段は下部ビームに対する上部ビームの移動を防止するように構成されていること、
を特徴とする、固定するための装置に関する。
【０００８】
本発明のおかげで、取り付け部材の動きは常に少なくとも２つの成分、すなわち、スライドの長手方向における接続部材の動きと、スライドの長手方向に垂直な方向における上部ビームの動きとに分解される。しかしながら、従来技術とは異なり、２つの成分への動きのこの分解を可能にする機構は、製造および使用がはるかに簡単である。実際、２つの別個の機構は、従来技術のような１つだけではなく、２つの異なる方向へのこれらの動きを可能にする。
【０００９】
さらに、取り付け部材が移動する案内スライドを支持するのは上部ビームであるので、取り付け機構の高さは、異なるつなぎ材の高さに対応するように容易に正確に調整することができる。
【００１０】
本発明の特定の実施形態によれば、接続部材は、上部ビームに接続された少なくとも１つの伝達ロッドと、下部ビームに接続され、ねじおよびナットアセンブリまたはシリンダによって制御される伝達レバーとを備える関節式平行四辺形を形成するアセンブリであり、それにより、上部ビームの動きは、ナット内のねじの動き、または対応して、シリンダ本体内のシリンダロッドの動きに運動学的にリンクされる。この接続要素の選択により、全体の寸法を制限すること、および、下部ビームと上部ビームとの間の力の適切な分散を実現することが可能になる。
【００１１】
本発明の別の特定の実施形態によれば、接続部材は、例えば台形形状のねじおよびナットのアセンブリであり、そのねじは下部ビームによって支えられ、そのナットは上部ビームによって支えられ、それにより、上部ビームの動きはねじに沿ったナットの動きに運動学的にリンクされ、ロックはねじとナットアセンブリの締め付けトルクによって確実になる。ねじまたはシリンダは、実際には安価で特に単純な接続要素である。ねじ山内のねじの動きまたはシリンダ本体内のシリンダの動きにより、上部ビームの動きを正確に制御することも可能になる。
【００１２】
固定装置でコンクリートまたは木製の鉄道装置の異なるモデルの高さの違いを吸収できるようにするために、上部ビームの移動は少なくとも１３０ｍｍである。
【００１３】
好ましくは、固定機構は、下部ビームに接続された２つの上部ビームと、２つの案内スライドと、上部ビームをそれぞれ下部ビームに接続する２つの接続部材とを備え、接続部材は独立して制御可能である。したがって、両端を独立してフックできるため、張り出しを回避でき、案内スライド内のフックの位置に関係なく、フックのクランプ力は一定である。これにより、ユーザは追加の警戒から解放され、これまでよりも注意を払わなくて済むようになる。したがって、これにより操作の安全性が向上する。
【００１４】
装置の使用を容易にするために、取り付け部材は、好ましくは自動ロック式である駆動機構によって案内スライドに沿って動かされ、装置に追加の安全性を提供する。
【００１５】
本発明の好ましい実施形態によれば、駆動機構は、案内スライドに沿って移動することができる可動チェーンを備え、このチェーンは、少なくとも２つのスプロケットによって駆動され、可動チェーンがループを形成する。可動チェーンによる駆動により、製造と実装が簡単な必然的自動ロック機構を実現することが可能になる。
【００１６】
使用が簡単であるという利点を有する特定の実施形態によれば、駆動輪と呼ばれる前記スプロケットの少なくとも１つは、駆動シャフトを備え、前記駆動シャフトは、前記駆動シャフトの周りで駆動輪を回転駆動するようにモータに接続されている。
【００１７】
本発明の好ましい実施形態によれば、装置に追加の安全性を提供するために、駆動輪は、その駆動シャフトの周りの駆動輪の回転を防止するための制動システムを備えている。
【００１８】
本発明の好ましい実施形態によれば、制動システムはフェイルセーフタイプであり、例えば、一対の制動ディスクを備える。したがって、デフォルトでは、つまり動力がない場合、制動システムは、駆動シャフトを中心とした駆動輪の回転を防止する。したがって、制動を解除するには、制動システムに電力を供給する必要がある。
【００１９】
オペレータが実施および使用するのが簡単な本発明の好ましい実施形態によれば、支持プラットフォームは、好ましくは少なくとも１つの水平回動軸の周りの回転によって、積込み位置と傾斜した輸送位置との間で移動可能である。
【００２０】
本発明の好ましい実施形態によれば、オペレータの筋肉の労力を排除するために、固定機構は、遠隔制御によって、または主遠隔制御が故障した場合に緊急遠隔制御によって制御される。
【００２１】
好ましくは、取り付け機構は、支持プラットフォームの平面に垂直な軸を中心に回動可能であるように構成され、取り付け機構の回動は、例えば、シリンダを備える駆動手段によって提供される。これにより、取り付け機構の位置を調整して、起こり得る位置ずれを補償することが可能になる。
【００２２】
本発明はまた、鉄道装置を輸送するための車両、特に鉄道装置を輸送するためのワゴンに関し、前記車両は、走行装置によって支持された輸送シャーシに取り付けられた本発明による固定システムを備えることを特徴とする。
【００２３】
本発明のさらなる特徴および利点は、添付の図面を参照して与えられる以下の記載から明らかになるであろう。
【図面の簡単な説明】
【００２４】
【図１】本発明の実施形態による鉄道装置を固定するための装置を組み込んだ鉄道装置を輸送するためのワゴンを示し、鉄道装置を固定するための装置は輸送位置にある。
【図２】図１の線ＩＩ−ＩＩに沿った断面図である。
【図３】図１の固定装置の図２と同様の図であり、その上部ビームは第１の位置にある。
【図４】図１の固定装置の詳細の平面図であり、チェーンは省略されている。
【図５】本発明による固定装置の取り付け部材の異なる位置を示す、図３と同様の図である。
【図６】上部ビームが第２の位置にある、本発明による固定装置の取り付け部材の異なる位置を示す図３と同様の図である。
【図７】固定装置の取り付け部材の異なる位置を示す図３の詳細図である。
【図８】固定装置の取り付け部材の異なる位置を示す図３の詳細図である。
【図９】固定装置の取り付け部材の異なる位置を示す図３の詳細図である。
【図１０】第１の位置にある本発明の第２の実施形態による固定装置の図３と同様の図である。
【図１１】第２の位置にある本発明の第２の実施形態による固定装置の図１０と同様の図である。
【図１２】図１による鉄道装置を輸送するためのワゴンの平面図である。
【発明を実施するための形態】
【００２５】
図１は、大きな寸法の、特に鉄道輸送のために規定された隙間マージン１４よりも大きい幅の、鉄道装置１２（図３で見ることができる）が積み込まれた輸送ワゴン１０を示す。鉄道装置１２は、例えば、図３に示すように、レール１６と転轍機つなぎ材１８とを備える転轍機である。
【００２６】
特に図２で見ることができるように、輸送ワゴン１０は、幅が隙間マージン１４の幅以下であるシャーシ２０を有する。鉄道装置１２の輸送ワゴンへの固定は、シャーシ２０の長手方向軸ＺＺに平行な水平軸周りの回動を可能にするジョイント２５によってシャーシ２０にヒンジ結合された鉄道装置１２の支持プラットフォーム２４を備える固定装置２２によって確保される。シャーシ２０自体は図２の平面に対して垂直である。
【００２７】
図１および２において、支持プラットフォーム２４は、輸送ワゴン１０が走行する軌道の平面に平行な基準平面に対して傾斜している。１つまたは複数の油圧シリンダ（図示せず）、または他の任意のタイプの電動アクチュエータを使用して、可傾式支持プラットフォーム２４を、図３に示す積込位置と、図１および２に示される傾斜した輸送位置との間で回動する。図３中、支持プラットフォーム２４は積込面Ｐ（図３および５〜１１において点線で示され、図４の平面に対応する）にある。
【００２８】
固定装置２２の構造の剛性をより低くするために、支持プラットフォーム２４は２つ以上の部品であると好ましい。この場合、支持プラットフォーム２４は、機械的に溶接された構造であると好ましい。これは、少なくとも１つの固定機構３０が取り付けられたストリンガー２４ａおよびクロスメンバー２４ｂを備える。この完全なアセンブリは、上昇位置（図２）にあるか、または積込みおよび積み降ろしのためにジョイント２５の周りを回動して水平位置にすることができる。固定装置２２はさらに、支持プラットフォーム２４に接続された下部ビーム２６および上部ビーム２７を備える固定機構３０を備える。固定機構３０は、鉄道装置１２を支持プラットフォーム２４に固定するように設計される。
【００２９】
図、特に図１から９に示される実施形態では、固定装置２２は４つの固定機構３０を備える。固定装置２２は、必要に応じて、特に輸送される鉄道装置の数とサイズに応じて、より少ないまたはより多い固定機構を備えてもよいことに留意されたい。
【００３０】
ここで、固定機構３０は、互いに独立して、シャーシ２０の長手方向軸ＺＺに沿ってプラットフォーム２４上で移動することができる。これにより、様々な積込または輸送要件、ならびに輸送される鉄道装置の寸法または形状に適応することが可能になる。
【００３１】
上部ビーム２７と下部ビーム２６は、少なくとも１つの接続部材３１によって接続される。この接続部材３１は、上部ビーム２７が後述する上部ビーム２７によって支えられる案内スライド３２の長手方向Ｌに垂直な方向Ｎに下部ビーム２６に対して移動可能であるように構成される。特に、上部ビーム２７と下部ビーム２６は、積込面Ｐに垂直な支持プラットフォーム２４の対称面Ｓの両側に配置された２つの接続部材３１によって接続されている。
【００３２】
以下で詳述するように、各固定機構３０は、鉄道装置１２が支持プラットフォーム２４に確実に固定されるロック位置と、鉄道装置１２を支持プラットフォーム２４から分離できるロック解除位置との間で移動することができる。
【００３３】
この目的のために、各固定機構３０は、上部ビーム２７によって支持され、長手方向Ｌに延在し、支持プラットフォーム２４によって支持された案内スライド３２を備える。特に、案内スライド３２の長手方向Ｌは、支持プラットフォーム２４が積込位置にあるとき、シャーシ２０の長手方向軸または軌道軸に垂直であり、支持プラットフォーム２４によって形成される自由平面に含まれる。
【００３４】
各固定機構３０はまた、鉄道装置１２を支持プラットフォーム２４に取り付けるための取り付け部材３４を備える。これらの取り付け部材は、これらの案内スライド３２に沿って移動することができる。図面に示される実施形態では、取り付け部材３４はフックである。
【００３５】
図３で見ることができるように、各取り付け部材３４またはフックは、転轍機１６のレール１８の１つの足１８ａと係合するように意図されたフック領域３５を有する。
【００３６】
駆動機構３６が、各取り付け部材３４に関連付けられ、関連付けられた案内スライド３２に沿ったその移動を可能にする。この駆動機構３６は、特に輸送ワゴン１０が動いているときに、取り付け部材３４の意図しない移動を防ぐために、好ましくは自動ロック式である。
【００３７】
図面に示されている実施形態において、特に図３および４で見ることができるように、各駆動機構３６は、ここでは、取り付け部材３４が接続されている案内スライド３２に沿って移動できる可動チェーン３８を備える。特に、各チェーン３８は、取り付け部材３４が案内スライド３２に沿って移動できるように、関連付けられた案内スライド３２によって案内される。したがって、案内スライド３６は、取り付け部材３４の線形、好ましくは直線の経路を定める。この経路は、積込面Ｐに含まれる。実際には、スライド３６はここでは概してＵ字形の断面を有するレールからなり、したがって、チェーン３８を移動させることができる溝を形成する。
【００３８】
各チェーン３８は、特にチェーン３８がループを形成するように、少なくとも２つのスプロケット４０によって駆動される。図面に示される実施形態では、６つのスプロケット４０がある。２つのスプロケット４０は、プラットフォーム２４の中心に最も近いループの第１の端部３８ａに配置され、４つのスプロケット４０は、案内スライド３２の自由端３２ａに最も近いループの反対側の端部３８ｅに配置される。
【００３９】
駆動輪４２と呼ばれるこれらのスプロケット４０の１つには、駆動輪４２をこの駆動シャフト４４の周りで回転駆動するように、モータ４６、例えば油圧モータに接続された駆動シャフト４４が設けられる。駆動輪４２の直径は、モータ４６による駆動を容易にするために、他のスプロケット４０の直径よりも大きい。
【００４０】
駆動輪４２はここではループの端部３８ｅに配置され、また、他のスプロケット４０よりも低く、すなわち、輸送ワゴン１０が積込位置で走行する軌道により近く配置される。当然のことながら、スプロケット４０の配置および数は変化し得ることに留意されたい。例えば、チェーン３８によって形成されるループの各端部にスプロケット４０が１つだけあることが想定され得る。駆動輪４２を、端部３８ｅではなくループの端部３８ａに配置することも可能である。
【００４１】
駆動輪４２は、その駆動シャフト４４の周りの駆動輪４２の回転を防止するために制動システム４８を備えている。好ましくは、制動システム４８は、フェイルセーフタイプであり、例えば、一対の制動ディスク５０を備える。制動ディスクは、図４に示すように、駆動輪４２の両側に配置されている。ここでは明確にするためにチェーン３６は省略されている。
【００４２】
制動システム４８は、動力がなければ、駆動輪４２がそのシャフトを中心に回転するのを防止するように構成される。言い換えれば、制動ディスク５０を解放するために制動システム４８に電力を供給する必要がある。このタイプの制動システムはそれ自体当業者に知られているので、ここでは詳細に記載しない。
【００４３】
固定機構３０はセルフロック式であるので、取り付け部材３４の位置は、案内スライド３２の長手方向でブロックされる。したがって、第１の方向への移動が防止される。より具体的には、チェーン３８は、一方では、制動システム５０を係合解放し、他方では、モータ４６を介して駆動輪４２を駆動することなしに、案内スライド３２に沿って移動することができない。かくして、案内スライド３２の長手方向における取り付け部材３４の移動を防止するために、二重ロック式安全装置が提供される。
【００４４】
固定機構３０は、下部ビーム２６に対する上部ビーム２７の移動を防止するように構成された、接続部材３１のロック手段５２をさらに備える。
【００４５】
好ましくは、図３〜９に示すように、接続部材３１は、上部ビーム２７によって支えられる、例えば台形断面のねじおよびナットアセンブリ５２であり、それにより、上部ビーム２７の移動は、ねじ５４に沿ったナット５６の動きに運動学的に関連しており、ロックは、ねじおよびナットアセンブリ５２の締め付けトルクによって確実にされる。この特定の実施形態では、ロック手段５２はしたがって下部ビーム２６によって支えられるナット５６内のねじ５４の締め付けによって形成される。もちろん、ねじ５４の断面形状は異なっていてもよい。
【００４６】
ねじおよびナットアセンブリ５２を締め付けることにより、上部ビーム２７は、支持プラットフォーム２４の自由面によって規定される積込み平面（この平面は図３において点線Ｐによって概略的に示されている）に垂直でもある案内スライド３２に垂直な方向に、下部ビーム２６に対して移動することが防止される。取り付け部材３４のフック領域３５はこの方向に垂直な平面でレール１６ａの足と平面的に接触しているので、取り付け部材３４の位置は、案内スライド３２に対して長手方向に垂直な第２の方向においてロックされる。
【００４７】
ねじおよびナットアセンブリ５２の移動および締め付けは、当業者にそれ自体既知の駆動手段によって、特にモータによって実行することができる。したがって、これらについてはここでは詳述しない。
【００４８】
接続部材３１としてねじおよびナットアセンブリ５２を選択することの別の利点は、ねじ５４に沿ったナット５６のコースを選択できること、すなわち、その高さを調整できることである。したがって、つなぎ材１８の異なる高さを示す図５、およびねじ山５４におけるねじ５２の２つの異なる位置を示す図６に見られるように、フック領域３５は、下部ビーム２６より上の異なる高さで、取り付け位置に配置することができる。これにより、この機構を、木製のつなぎ材１８（短い）またはコンクリート製のつなぎ材１８（より高い）のいずれかを有する鉄道装置で等しく使用することが可能になる。例えば、コンクリートおよび木製のつなぎ材１８の通常の高さを考慮して、この特定の実施形態では、上部ビーム２７、すなわち、ねじ５４に沿ったナット５６の移動は、少なくとも１３０ｍｍになるように選択される。
【００４９】
図面に示されていない変形例では、ねじはシリンダによって置き換えられ、ねじ山はシリンダ本体によって置き換えられる。
【００５０】
一方の固定機構３０のセルフロック機能および他方の接続部材３１のロック手段５２の存在により、案内スライド３２の長手方向Ｌにおける、および対応して、この長手方向に垂直な方向Ｎにおける、取り付け部材３４の移動が防止される。したがって、図７から図９に示すシーケンスに従ってこれから記載するように、固定装置２２の支持プラットフォーム２４への鉄道装置１２の固定の堅牢性は、簡単かつ信頼できる方法で保証される。
【００５１】
図１２で見ることができるように、固定機構３０は、支持プラットフォーム２４の平面に垂直な軸を中心に回動するように構成され、固定機構３０の回動は、例えば、回動シリンダ７６を備える駆動手段によって提供される。シリンダ７６のストロークは、プラットフォーム２４の平面内で、ワゴン１０の長手方向軸ＺＺに対して横方向に、例えばこの長手方向軸ＺＺに対して垂直に行われる。
【００５２】
図７では、レール１８が見える状態の鉄道装置１２は、支持プラットフォーム２４上に置かれている。取り付け部材３４は、それらが図７において点線Ｐで概略的に示されている積込面の下にあるように引っ込められ、それにより、取り扱い中の鉄道装置１２との干渉を回避する。
【００５３】
鉄道装置１６をプラットフォーム２４に固定するために、オペレータは、つなぎ材１８の高さに応じて関連するモータを制御することにより、ねじ山５６内のねじ５４の位置を調整し、それにより、固定機構３０はレール１６ａの足と接触する。
【００５４】
次に、オペレータは、制動システム４８のロックを解除し、モータ４６を制御して、駆動輪４２が駆動されることを可能にし、したがって、チェーン３６が案内スライド３２に沿って動くことを可能にする。次にオペレータは取り付け部材３４の位置を調整し、それらが鉄道装置１２のレール１８ａの足と係合するようにする。この操作の終わりに、固定機構３０は、図８に示される移行位置にある。
【００５５】
最後に、オペレータは、取り付け部材３４がレール１６ａの足に十分な締め付け力を及ぼすまで、関連するモータを制御することにより、ねじ山５６内のねじ５４の位置を調整する。好ましくは、表示灯が、クランプ力に達したことを示す。
【００５６】
鉄道装置１２がこのようにして支持プラットフォーム２４に固定されると、支持プラットフォームを輸送のために図１および２に示される位置に持ち上げることができる。
【００５７】
積み降ろし操作は、積込み操作の逆の順序で行われる。
【００５８】
必要に応じて、２つの取り付け部材３４のうちの１つだけを鉄道装置１２のレール１８の１つと係合して配置することができ、一方、他の取り付け部材３４は案内スライド３２に沿って自由位置に留まる。好ましくは、図示のように、２つの固定機構３０が提供され、それらの取り付け部材３４は、互いに対して横方向に、すなわち、フック領域３５が互いに面するように回転される。この構成により、２つの取り付け部材３４が係合されると、鉄道装置は横方向にロックされる。
【００５９】
図１０および１１に示される本発明の第２の実施形態では、固定機構３０は、接続部材３１が、上部ビーム２７に接続された少なくとも１つの伝達ロッド６２と、下部ビーム２９に接続され、ねじおよびナットアセンブリ６４によって制御される伝達レバー６０とを備える関節式平行四辺形アセンブリ５８であることにおいて異なり、それにより、上部ビーム２７の動きは、ナット６７内のねじ６５の変位に運動学的にリンクされる。
【００６０】
より正確には、図面に示される実施形態では、平行四辺形アセンブリ５８は、上部ビーム２７および下部ビーム２９の延在の方向に実質的に平行な方向に延在する、長手形状の伝達ロッド６２を備える。伝達ロッド６２は、好ましくは、それを軽量化するためにその中心で薄くされる。伝達ロッド６２は、２つの伝達レバー６０ａ、６０ｂに接続され、その自由端６２ａ、６２ｂのそれぞれにおいて１つの伝達レバーに接続されている。この接続は、例えば、伝達ロッド６２と伝達レバー６０ａ、６０ｂの両方を通過し、伝達ロッド６２の長手方向に垂直な方向、すなわち、図１０および１１に垂直な平面内に延びる２つのピン６８によって行われる。
【００６１】
Ｃ形状またはブーメラン形状を有する第１の伝達レバー６０ａは、第１の端部で、伝達ロッド６２の長手方向に対して垂直に、すなわち図１０および１１に垂直な平面に延びるピン６６によって、ねじおよびナットアセンブリ６４に接続される。ねじおよびナットアセンブリ６４は、ナット６７内のねじ６５の動きが伝達レバー６０ａを上部ビーム２７の方向に動かすように、上部ビーム２７に接続される。伝達ロッド６２は伝達レバー６０ａに接続されているので、これも図の上方に移動される。
【００６２】
加えて、伝達ロッド６２はまた、その端部６２ａで、再び伝達レバー６０ａを介して上部ビーム２７に接続される。それというのも、伝達レバー６０ａは、それが伝達ロッド６２に接続される端部と反対側の自由端で上部ビーム２７に接続されるからである。この接続は、ピン７０が伝達ロッド６２の長手方向に垂直に同じく延び、伝達レバー６０ａを通過し、それ自体が上部ビーム２７を通過するピン７２に接続され、これらの２つのピン７０および７２がチューブ７４によって接続されることによってなされる。２つのピン７０および７２の接続は、構造を強化するためにチューブの形態で選択されたが、それは別の形態であってもよいことに留意されたい。
【００６３】
対称的に、伝達ロッド６２はまた、反対側の端部６２ｂにおいて、伝達レバー６０ｂ（これもＣ字形）を介して上部ビーム２７に接続されている。それというのも、伝達レバー６０ｂは同じく、ピン７０が伝達ロッド６２の長手方向に垂直に同じく延び、伝達レバー６０ａを通過し、それが今度は上部ビーム２７を通過するピン７２に接続され、これら２つのピン７０および７２がチューブ７４によって接続されることによって上部ビーム２７に接続されるからである。
【００６４】
図示されていないこの第２の実施形態の変形例では、ねじおよびナットのアセンブリは、シリンダおよびシリンダ本体のアセンブリによって置き換えられる。
【００６５】
さらに、図１０および１１に示すこの第２の実施形態では、固定機構３０は、下部ビーム２６に接続された２つの上部ビーム２７ａ、２７ｂと、２つの案内スライド３２と、１つの上部ビーム２７ａ、２７ｂをそれぞれ下部ビーム２６に接続する２つの接続部材３１とを備え、接続部材３１は独立して制御することができる。より正確には、２つの上部ビーム２７ａ、２７ｂは、好ましくは、それぞれ、前の実施形態に示された上部ビーム２７の長さの半分に対応する長さである。
【００６６】
したがって、案内スライド内のフックの位置に関係なく、フックごとのクランプ力が一定であるため、両端を独立してフックすることができ、したがって、張り出しを回避することができる。これにより、ユーザは追加の警戒から緩和され、これまでよりも注意を払わなくて済むようになる。これにより、操作の安全性が向上する。
【００６７】
当然のことながら、図面に示され上述された例は例示に過ぎず、網羅的ではない。様々な変形が可能である。
【００６８】
特に、プラットフォームの積込みおよび積み降ろし位置は、必ずしも水平である必要はなく、当然のことながら輸送位置よりも低く傾けることができる。
【００６９】
さらに、実用においては、記載されたものとは異なる数の固定機構を同じ輸送ワゴンに備えることができ、これらは、鉄道アセンブリの構成に局所的に適応するために、プラットフォームの長さにわたって分散される。
【００７０】
取り付け部材を駆動するための他の手段を設けることができる。それは、ローラまたはボールが台車ロールに関連付けられた軌道を設けられた、または台車上に形成された足のためのスライド用トラックを設けられた案内スライドによって案内される台車などである。
【００７１】
図示した異なる実施形態を組み合わせて他の実施形態を提案できることが明確に提供される。
【００７２】
本記載、図面、および添付の特許請求の範囲から当業者に明らかになる全ての特徴は、実際にはそれらが個別におよび任意の組み合わせの両方において他の指定された特徴と併せてのみ記載されたとしても、それが明示的に除外されていない場合、または技術的な状況によりそのような組み合わせが不可能または無意味になる場合、ここに開示されている他の特徴または特徴群と組み合わせることができることが強調される。
【図１】
2021510788.tif 000003
【図２】
2021510788.tif 000004
【図３】
2021510788.tif 000005
【図４】
2021510788.tif 000006
【図５】
2021510788.tif 000007
【図６】
2021510788.tif 000008
【図７】
2021510788.tif 000009
【図８】
2021510788.tif 000010
【図９】
2021510788.tif 000011
【図１０】
2021510788.tif 000012
【図１１】
2021510788.tif 000013
【図１２】
2021510788.tif 000014
【国際調査報告】
2021510788.tif 000015
2021510788.tif 000016
2021510788.tif 000017
2021510788.tif 000018
2021510788.tif 000019